(57)【要約】【課題】  システムをブーティングせずに光ディスクを再生するコンピュータシステムを提供する。【解決手段】  コンピュータシステムは，光ディスクに記録されたビデオ/オーディオ信号を再生する光ディスクドライブと，ビデオ/オーディオ信号をディスプレイ部及びオーディオ出力部が処理可能な信号に変換し，ディスプレイ部及び／又はオーディオ出力部に出力するドライブ再生部と，光ディスクドライブによって再生されたビデオ及び／又はオーディオ信号がシステム本体部またはドライブ再生部のうちのいずれか一つに選択的に印加されるようにするビデオ/オーディオ信号スイッチング部と，システム本体部またはドライブ再生部に電源を供給する電源供給部と，電源供給部からの電源がシステム本体部またはドライブ再生部のうちのいずれか一つに選択的に供給されるように切替える電源スイッチング部とを含む。【選択図】    図１
2005044333.tif 000002
【特許請求の範囲】
【請求項１】
画像を表示するディスプレイ部と，音声を出力する音声出力部と，前記ディスプレイ部と前記音声出力部とに，各々画像信号と音声信号とを出力するシステム本体部とを有するコンピュータシステムにおいて：
光ディスクに記録された画像及び／又は音声信号を再生する光ディスクドライブと；
前記光ディスクドライブによって再生された画像及び／又は音声信号を前記ディスプレイ部と前記音声出力部が処理可能な信号に変換し，前記ディスプレイ部及び／又は前記音声出力部に出力するドライブ再生部と；
前記光ディスクドライブによって再生された画像及び／又は音声信号が前記システム本体部または前記ドライブ再生部のうちいずれか一方に選択的に印加されるように切替える画像／音声信号スイッチング部と，
少なくとも前記システム本体部と前記ドライブ再生部に電源を供給する電源供給部と；
前記電源供給部からの電源を前記システム本体部または前記ドライブ再生部のうちいずれか一方に選択的に供給する電源スイッチング部と；
を含むことを特徴とする，コンピュータシステム。
【請求項２】
前記ドライブ再生部は，
前記光ディスクドライブによって再生された画像及び／又は音声信号を，音声信号と画像信号とに分離して出力する信号分離部と；
前記信号分離部からの出力信号のうち前記画像信号について前記ディスプレイ部が表示可能な信号に変換する画像信号処理部と；
前記信号分離部からの出力信号のうち前記音声信号について前記音声出力部が音声出力可能な信号に変換する音声信号処理部と；
前記信号分離部，前記画像信号処理部，および前記音声信号処理部の再動作を制御する制御部とを含むことを特徴とする，請求項１に記載のコンピュータシステム。
【請求項３】
前記ディスプレイ部は，ＬＶＤＳインタフェースを有しており，
前記画像信号処理部は前記信号分離部から出力される画像信号をデコーディングする画像デコーダと；
前記画像デコーダによってデコーディングされた画像信号をＬＶＤＳ信号に変換して出力するＬＶＤＳエンコーダと；
を含み，
前記ＬＶＤＳエンコーダにより出力された当該ＬＶＤＳ信号は前記ＬＶＤＳインタフェースを介して前記ディスプレイ部に送出されることを特徴とする，請求項２に記載のコンピュータシステム。
【請求項４】
前記音声信号処理部は，
前記信号分離部から出力される音声信号をデコーディングする音声デコーダと；
前記音声デコーダによってデコーディングされた音声信号をアナログ信号に変換するＤ／Ａコンバータと；
を含むことを特徴とする，請求項２に記載のコンピュータシステム。
【請求項５】
前記電源スイッチング部は前記電源供給部からの電源を前記システム本体部に供給するためのシステム電源ボタンと，前記電源供給部からの電源を前記光ディスクドライブと前記ドライブ再生部に供給するための再生部電源ボタンとを含むことを特徴とする，請求項１に記載のコンピュータシステム。
【請求項６】
前記電源供給部は前記ディスプレイ部に電源を供給するように備えられ，
前記再生部電源ボタンがオンされる場合，前記電源供給部から前記ディスプレイ部に電源が供給されるように備えられることを特徴とする，請求項５に記載のコンピュータシステム。
【請求項７】
前記システム本体部から出力される画像信号または前記ドライブ再生部から出力された画像信号のうちいずれか一方が前記ディスプレイ部に選択的に印加されるように切替える画像スイッチング部をさらに含むことを特徴とする，請求項５に記載のコンピュータシステム。
【請求項８】
前記画像スイッチング部は前記再生部電源ボタンがオンされることに反応して，前記ドライブ再生部から出力された画像信号が前記ディスプレイ部に印加されるように制御することを特徴とする，請求項７に記載のコンピュータシステム。
【請求項９】
前記システム本体部から出力される音声信号と前記ドライブ再生部から出力された音声信号のうちのいずれか一つが前記音声出力部に選択的に印加されるように切替える音声スイッチング部をさらに含むことを特徴とする，請求項５に記載のコンピュータシステム。
【請求項１０】
前記音声スイッチング部は前記再生部電源ボタンがオンされることに反応して，前記ドライブ再生部から出力された音声信号が前記音声出力部に印加されるように制御することを特徴とする，請求項９に記載のコンピュータシステム。
【請求項１１】
前記システム本体部から出力される画像信号と前記画像信号処理部から出力された画像信号のうちのいずれか一方が前記ディスプレイ部に選択的に印加されるように切替える画像スイッチング部をさらに含み，
前記光ディスクドライブから前記ドライブ再生部に前記画像及び／又は音声信号が印加される場合，前記制御部は前記画像信号処理部から出力された画像信号が前記ディスプレイ部に印加されるように前記画像スイッチング部を制御することを特徴とする，請求項２に記載のコンピュータシステム。
【請求項１２】
前記システム本体部から出力される音声信号または前記音声信号処理部から出力された音声信号のうちのいずれか一方が前記音声出力部に選択的に印加されるように切替える音声スイッチング部をさらに含み，
前記光ディスクドライブから前記ドライブ再生部に前記画像及び／又は音声信号が印加される場合，前記制御部は前記音声信号処理部から出力された音声信号が前記音声出力部に印加されるように前記音声スイッチング部を制御することを特徴とする，請求項２に記載のコンピュータシステム。
【発明の詳細な説明】
【技術分野】
【０００１】
本発明はコンピュータシステムに関する。
【背景技術】
【０００２】
一般に，ＶＣＤ（Ｖｉｄｉｏ Ｃｏｍｐａｃｔ Ｄｉｓｃ）又はＤＶＤ（Ｄｉｇｉｔａｌ Ｖｅｒｓａｔｉｌｅ Ｄｉｓｋ）などの光ディスクを再生するＣＤドライブやＤＶＤドライブなどの光ディスクドライブはマルチメディア環境が付加されたコンピュータシステムに広く用いられている。
【０００３】
特に，ＤＶＤは４．７ＧＢ〜１７ＧＢの記憶容量であるため，大容量の動映像を保存することができる。さらに，高画質の映像と多チャンネルの音響を再生可能とする画像（ビデオ）及び／又は音声（オーディオ）データを保存するのに広く用いられている。また，ＤＶＤを再生するためのＤＶＤドライブはＣＤとの互換性を有するようになって以来，現在ではＣＤドライブがＤＶＤドライブに代替されていく傾向にある。
【０００４】
上記ＤＶＤに記録されるビデオ及び／又はオーディオデータは，例えばＭＰＥＧ（Ｍｏｖｉｎｇ Ｐｉｃｔｕｒｅ Ｅｘｐｅｒｔｓ Ｇｒｏｕｐ）−２で規格されているビデオ圧縮技術や，ＭＰＥＧ−２及びＡＣ−３オーディオ圧縮技術等を通じてビデオ及び／又はオーディオデータを圧縮保存する。
【０００５】
一方，ＤＶＤドライブが装着された従来のコンピュータシステムではＯＳ（基本ソフト）の管理下で処理動作するＭＰＥＧ−２コーデックプログラムや，チップ形態等のハードウェア構成のＭＰＥＧ−２エンコーダ／デコーダを内蔵したカードを装着する。そして，ＤＶＤドライブによって再生されたビデオ及び／又はオーディオ信号をＭＰＥＧ−２コーデックプログラムやカード等がデコードし，デコードされたビデオ及び／又はオーディオ信号をビデオコントローラまたはオーディオコントローラを通じてモニターやスピーカーに出力する。
【発明の開示】
【発明が解決しようとする課題】
【０００６】
しかしながら，上記記載の従来にかかるコンピュータシステムでは，ＤＶＤドライブを通じてＤＶＤに記録されたデータを再生するためにはコンピュータシステムを少なくとも１度はブーティング（起動）した後に使用しなければならないという問題点があった。
【０００７】
上記ブーティングすることで，ＤＶＤ再生に関わらない構成要素にも電源を供給してしまい，不要な電力を消費してしまう。特に携帯用コンピュータ等のように，バッテリーの容量に大きな制限を受ける場合には大きな問題となっていた。また，コンピュータシステムをブーティングするためには，所定時間がかかり，電源投入後すぐに再生できるとは限らず，ＤＶＤ再生だけのために必要以上の時間を浪費してしまうという問題点があった。
【０００８】
本発明は，上記問題点に鑑みてなされたものであり，本発明の目的は，ブーティングせずに光ディスクを再生可能な，新規かつ改良されたコンピュータシステムを提供することである。
【課題を解決するための手段】
【０００９】
上記課題を解決するため，本発明の第１の観点によれば，画像（ビデオ）が表示されるディスプレイ部と，音声（オーディオ）を出力する音声出力部と，前記ディスプレイ部及び前記音声出力部に画像信号及び音声信号を出力するシステム本体部とを有するコンピュータシステムにおいて，光ディスクに記録された画像及び／又は音声信号を再生する光ディスクドライブと，前記光ディスクドライブによって再生された画像信号及び／又は音声信号を前記ディスプレイ部と前記音声出力部とが処理可能な信号に変換して前記ディスプレイ部及び前記音声出力部に出力するドライブ再生部と，前記光ディスクドライブによって再生された画像及び／又は音声信号が前記システム本体部または前記ドライブ再生部のうちいずれか一方に選択的に印加されるように切替える画像／音声信号スイッチング部と，前記システム本体部と前記ドライブ再生部に電源を供給する電源供給部と，前記電源供給部からの電源が前記システム本体部または前記ドライブ再生部のうちいずれか一方に選択的に供給されるように切替える電源スイッチング部とを含むことを特徴とするコンピュータシステムによって達成される。
【００１０】
ここで，ドライブ再生部は，前記光ディスクドライブによって再生された画像及び／又は音声信号を音声信号と画像信号に分離して出力する信号分離部と，前記信号分離部から出力される前記画像信号を前記ディスプレイ部が表示可能な信号に変換する画像信号処理部と，前記信号分離部から出力される前記音声信号を前記音声出力部が出力可能な信号に変換する音声信号処理部と，前記信号分離部，前記画像信号処理部及び前記音声信号処理部の再動作を制御する制御部とを含むことが好ましい。
【００１１】
また，前記ディスプレイ部はＬＶＤＳインタフェースを支援し，前記画像信号処理部は前記信号分離部から出力される画像信号をデコーディングする画像デコーダと，前記画像デコーダによってデコーディングされた画像信号をＬＶＤＳ信号に変換して出力するＬＶＤＳエンコーダとを含むことが好ましい。
【００１２】
そして，前記音声信号処理部は前記信号分離部から出力される音声信号をデコーディングする音声デコーダと，前記音声デコーダによってデコーディングされた音声信号をアナログ信号に変換するＤ/Ａコンバータとを含むことが好ましい。
【００１３】
そして，前記電源スイッチング部は前記電源供給部からの電源を前記システム本体部に供給するためのシステム電源ボタンと，前記電源供給部からの電源を前記光ディスクドライブと前記ドライブ再生部に供給するための再生部電源ボタンとを含むことが好ましい。
【００１４】
ここで，前記電源供給部は前記ディスプレイ部に電源を供給するように備えられ，前記再生部電源ボタンがオンされる場合，前記電源供給部から前記ディスプレイ部に電源が供給されるように備えられることが好ましい。
【００１５】
そして，前記システム本体部から出力される画像信号と前記ドライブ再生部から出力された画像信号のうちのいずれか一つが前記ディスプレイ部に選択的に印加されるようにする画像スイッチング部をさらに含むことが好ましい。
【００１６】
そして，前記画像スイッチング部は前記再生部電源ボタンがオンされることに反応して，前記ドライブ再生部から出力された画像信号が前記ディスプレイ部に印加されるように制御されることが好ましい。
【００１７】
そして，前記システム本体部から出力される音声信号と前記ドライブ再生部から出力された音声信号のうちのいずれか一つが前記音声出力部に選択的に印加されるようにする音声スイッチング部をさらに含むことが好ましい。
【００１８】
ここで，前記音声スイッチング部は前記再生部電源ボタンがオンされることに反応して，前記ドライブ再生部から出力された音声信号が前記音声出力部に印加されるように制御されることが好ましい。
【００１９】
システム本体部から出力される画像信号と前記画像信号処理部から出力された画像信号のうちのいずれか一つが前記ディスプレイ部に選択的に印加されるようにする画像スイッチング部をさらに含み，前記光ディスクドライブから前記ドライブ再生部に前記画像及び／又は音声信号が印加される場合，前記制御部は前記画像信号処理部から出力された画像信号が前記ディスプレイ部に印加されるように上記画像スイッチング部を制御することが好ましい。
【００２０】
また，前記システム本体部から出力される音声信号と前記音声信号処理部から出力された音声信号のうちのいずれか一つが前記音声出力部に選択的に印加されるようにする音声スイッチング部をさらに含み，前記光ディスクドライブから前記ドライブ再生部に前記画像及び／又は音声信号が印加される場合，前記制御部は前記音声信号処理部から出力された音声信号が前記音声出力部に印加されるように前記音声スイッチング部を制御することが好ましい。
【発明の効果】
【００２１】
以上説明したように，本発明によれば，コンピュータシステムをブートせずに光ディスクドライブを通じて光ディスクに記録された画像／音声データを再生することができ，不要な電力の消耗を防げる。
【発明を実施するための最良の形態】
【００２２】
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【００２３】
第１の実施の形態にかかるコンピュータシステム１００は図１に示されているように，画像（ビデオ）を表示するディスプレイ部６０と，音声（オーディオ）が出力されるオーディオ出力部７０と，ディスプレイ部６０とオーディオ出力部７０に画像（ビデオ）信号及び／又は音声（オーディオ）信号を出力するシステム本体部１０と，光ディスクに記録されたビデオ及び／又はオーディオデータを再生する光ディスクドライブ４０と，光ディスクドライブ４０によって再生されたビデオ及び／又はオーディオ信号をディスプレイ部６０やオーディオ出力部７０が処理可能な信号に変換し，ディスプレイ部６０及びオーディオ出力部７０に出力するドライブ再生部３０と，光ディスクドライブ４０によって再生されたビデオ及び／又はオーディオ信号がシステム本体部１０またはドライブ再生部３０のうちいずれか一方に選択的に印加されるようにするビデオ／オーディオ信号スイッチング部９２と，システム本体部１０とドライブ再生部３０に電源を供給するための電源供給部５０と，電源供給部５０からの電源がシステム本体部１０またはドライブ再生部３０のうちのいずれか一つに選択的に供給されるように切替える電源スイッチング部９０とを含む。
【００２４】
なお，第１の実施の形態にかかるビデオ信号は，例えば動画や，静止画などの映像又は画像信号であり，カラー，白黒等の画質や，ＭＰＥＧ２等のデータ形式等に限定されない。また，第１の実施の形態にかかるオーディオ信号は，例えば，音楽，会話等の音声信号であり，モノラル，ステレオ等の音質や，ＰＣＭ等のデータ形式に限定されない。
【００２５】
図２は第１の実施の形態によるコンピュータシステム１００のより具体的な制御ブロック図である。以下，図２を参照して第１の実施の形態によるコンピュータシステム１００に対して詳細に説明する。ここで，光ディスクはＤＶＤであり，光ディスクドライブ４０はＤＶＤドライブ４０´であることを一例として説明する。
【００２６】
システム本体部１０は，中央処理装置であるＣＰＵ（Ｃｅｎｔｒａｌ Ｐｒｏｃｅｓｓｉｎｇ Ｕｎｉｔ）１１と，メモリ部１４と，ディスプレイ部６０と連結されてディスプレイ部６０にビデオ信号を伝達するビデオコントローラ１８と，キーボードやマウスなどの入力装置８０から入力される信号を処理する入出力コントローラ１９と，オーディオ出力部７０と連結されてオーディオ出力部７０にオーディオ信号を伝達するオーディオコントローラ２０と，ノースブリッジ（Ｎｏｒｔｈ Ｂｒｉｄｇｅ）１２と，サウスブリッジ（Ｓｏｕｔｈ Ｂｒｉｄｇｅ）１３とを含む。
【００２７】
メモリ部１４は非揮発性メモリであるＲＡＭ（Ｒａｎｄｏｍ Ａｃｃｅｓｓ Ｍｅｍｏｒｙ）１５と，バイオス（ＢＩＯＳ）が保存されたＢＩＯＳ ＲＯＭ（Ｒｅａｄ  Ｏｎｌｙ  Ｍｅｍｏｒｙ）１６と，ＣＭＯＳ ＲＡＭ１７とを含む。
【００２８】
ノースブリッジ１２はＣＰＵ１１，ＲＡＭ１５及びビデオコントローラ１８間に移動するデータを管理するチップセットであり，サウスブリッジ１３は入出力コントローラ１９，オーディオコントローラ２０，
ＢＩＯＳ ＲＯＭ１６及びＣＭＯＳ ＲＡＭ１７間に移動するデータを管理するチップセットである。
【００２９】
システム本体部１０はサウスブリッジ１３と連結されてハードディスクドライブ（ＨＤＤ）２２とＤＶＤドライブ４０´を管理するＩＤＥコントローラ２１を含む。ハードディスクドライブ（ＨＤＤ）２２にはＤＶＤドライブ４０´により再生されたビデオ及び／又はオーディオ信号を処理するためのコーデック（ＣＯＤＥＣ）プログラム２３がインストール等により記録されることが好ましい。
【００３０】
第１の実施の形態による電源供給部５０はシステム本体部１０とドライブ再生部３０に電源を供給する。ここで，第１の実施の形態によるコンピュータシステム１００が例えば携帯用コンピュータである場合，電源供給部５０はディスプレイ部６０に電源を供給するように備えられ得る。
【００３１】
電源スイッチング部９０は電源供給部５０からの電源がシステム本体部１０とドライブ再生部３０のうちのいずれか一つに選択的に供給されるようにする。ここで，第１の実施の形態の好ましい実施例による電源スイッチング部９０は，電源供給部５０からの電源をシステム本体部１０に供給するためのシステム電源ボタンと，電源供給部５０からの電源をＤＶＤドライブ４０´及びドライブ再生部３０に供給するための再生部電源ボタンとを含む。使用者がシステム電源ボタンをオンさせる場合，システム本体部１０に電源が印加されてコンピュータシステム１００がブーティングされる。反面，使用者が再生部電源ボタンをオンさせる場合，電源供給部５０からの電源はシステムのブーティングなしにＤＶＤドライブ４０´の再生に必要な構成要素であるＤＶＤドライブ４０´とドライブ再生部３０に電源を供給する。これにより，コンピュータシステム１００全体をブーティングせずにＤＶＤを再生することができるようになり，ＤＶＤの再生時にブーティングにかかる時間を除去し，ＤＶＤの再生に不必要な構成要素に電源が供給されず，不要な電源の消費を防止する。
【００３２】
ここで，第１の実施の形態によるディスプレイ部６０が例えば携帯用コンピュータでのように，システム本体部１０と同一電源を使う場合，ＤＶＤドライブ４０´及びドライブ再生部３０に電源が供給される時，つまり，再生部電源ボタンがオンされる場合にはディスプレイ部６０に電源供給部５０から電源が供給されるように備えられることが好ましい。これにより，ＤＶＤの再生時にディスプレイ部６０を通じて画面が表示されることができるようになる。
【００３３】
第１の実施の形態によるドライブ再生部３０はＤＶＤドライブ４０´により再生されたビデオ又はオーディオ信号をディスプレイ部６０が表示可能なビデオ信号と，オーディオ出力部７０が出力可能なオーディオ信号に分離及び変換し，ディスプレイ部６０及びオーディオ出力部７０に各々出力する。ここで，ドライブ再生部３０に対する詳細な説明は後述する。
【００３４】
ビデオ／オーディオ信号スイッチング部９２はＤＶＤドライブ４０´により再生されて出力されたビデオ／オーディオ信号がシステム本体部１０のＩＤＥコントローラ２１とドライブ再生部３０のうちのいずれか一つに選択的に印加されるようにスイッチング動作を行う。ここで，ビデオ/オーディオ信号スイッチング部９２のスイッチング動作の制御は使用者がシステム電源ボタンをオンさせる場合，ＤＶＤドライブ４０´により再生されて出力されたビデオ/オーディオ信号がシステム本体部１０に印加されるようにスイッチングされ，使用者が再生部電源ボタンをオンさせる場合，ＤＶＤドライブ４０´により再生されて出力されたビデオ/オーディオ信号がドライブ再生部３０に印加されるようにスイッチングされるように備えられる。例えば，使用者によってシステム電源ボタン及び再生部電源ボタンがオンされる場合，一定の制御信号がビデオ/オーディオ信号スイッチング部９２に印加され，ビデオ/オーディオ信号スイッチング部９２は印加された制御信号に対応してスイッチング動作を行うことができる。
【００３５】
図３は第２の実施の形態にかかるコンピュータシステム１０２の制御ブロック図である。図示されているように，第２の実施の形態によるコンピュータシステム１０２はシステム本体部１０から出力されるビデオ信号またはドライブ再生部３０から出力されるビデオ信号のうちのいずれか一つがディスプレイ部６０に選択的に印加されるようにするビデオスイッチング部９４をさらに含む。また，第２の実施の形態によるコンピュータシステム１０２はシステム本体部１０から出力されるオーディオ信号またはドライブ再生部３０から出力されるオーディオ信号のうちのいずれか一つがオーディオ出力部７０に選択的に印加されるようにするオーディオスイッチング部９６をさらに含むことができる。なお，第２の実施の形態にかかるコンピュータシステムの説明については，第１の実施の形態にかかるコンピュータシステムとの相違点について説明する。
【００３６】
ビデオスイッチング部９４はシステム本体部１０のビデオコントローラ１８から出力されるビデオ信号またはドライブ再生部３０から出力されるビデオ信号のうちのいずれか一つが選択的にディスプレイ部６０に印加されるようにスイッチング動作される。ここで，ビデオスイッチング部９４のスイッチング動作の制御は使用者がシステム電源ボタンをオンさせる場合，システム本体部１０のビデオコントローラ１８から出力されたビデオ信号がディスプレイ部６０に印加されるようにスイッチングされ，使用者が再生部電源ボタンをオンさせる場合，ドライブ再生部３０から出力されたビデオ信号がディスプレイ部６０に印加されるようにスイッチングされるように備えられる。例えば，使用者によってシステム電源ボタン及び再生部電源ボタンがオンされる場合，一定の制御信号がビデオスイッチング部９４に印加され，ビデオスイッチング部９４は印加された制御信号に対応してスイッチング動作を行うことができる。
【００３７】
また，オーディオスイッチング部９６はシステム本体部１０のオーディオコントローラ２０から出力されるオーディオ信号またはドライブ再生部３０から出力されるオーディオ信号のうちのいずれか一つが選択的にオーディオ出力部７０に印加されるようにスイッチング動作される。ここで，オーディオスイッチング部９６のスイッチング動作の制御は，前述したビデオスイッチング部９４のスイッチング動作と同様に，使用者がシステム電源ボタンをオンさせる場合，システム本体部１０のオーディオコントローラ２０から出力されたオーディオ信号がオーディオ出力部７０に印加されるようにスイッチングし，使用者が再生部電源ボタンをオンさせる場合，ドライブ再生部３０から出力されたオーディオ信号がオーディオ出力部７０に印加されるようにスイッチング（切替え処理）する。
【００３８】
図４は第１の実施の形態にかかるドライブ再生部３０の制御ブロック図である。図示されているように，第１の実施の形態によるドライブ再生部３０は光ディスクドライブ４０によって再生されたビデオ及び／又はオーディオ信号をビデオ信号及びオーディオ信号に分離して出力する信号分離部３１と，信号分離部３１によって出力されたビデオ信号をディスプレイ部６０が表示可能な信号に変換するビデオ信号処理部３２と，信号分離部３１から出力されるオーディオ信号をオーディオ出力部７０が出力可能な信号に変換するオーディオ信号処理部３５とを含み，さらに信号分離部３１，ビデオ信号処理部３２，及びオーディオ信号処理部３５の再動作を制御する制御部３８とを含む。なお，第２の実施の形態にかかるドライブ再生部３０についても，上記第１の実施の形態にかかるドライブ再生部３０と，ほぼ同様の構成である。
【００３９】
第１の実施の形態にかかるビデオ信号処理部３２は，信号分離部３１から出力されるビデオ信号をデコーディングする，例えばＭＰＥＧ−２デコーダなどのビデオデコーダ（Ｄｅｃｏｄｅｒ）３３と，ビデオデコーダ３３によってデコーディングされたビデオ信号をＬＶＤＳ（Ｌｏｗ
Ｖｏｌｔａｇｅ Ｄｉｆｆｅｒｅｎｔｉａｌ Ｓｉｇｎａｌｉｎｇ）信号に変換して出力するＬＶＤＳエンコーダ３４とを含む。ここで，ＬＶＤＳインタフェースはコンピュータ本体と液晶表示装置（ＬＣＤ:Ｌｉｑｕｉｄ  Ｃｒｙｓｔａｌ  Ｄｉｓｐｌａｙ）間のインタフェースに関する規格である。したがって，ディスプレイ部６０もＬＶＤＳインタフェースをサポートするように備えられる。なお，第２の実施の形態にかかるビデオ信号処理部３２についても，第１の実施の形態にかかるビデオ信号処理部３２とほぼ同様の構成であるため，説明は省略する。
【００４０】
また，第１の実施の形態にかかるオーディオ信号処理部３５は，信号分離部３１から出力されるオーディオ信号をデコーディングする，例えばＭＰＥＧ−２デコーダ及び/又はＡＣ−３デコーダなどのオーディオデコーダ３６と，オーディオデコーダ３６によってデコーディングされたオーディオ信号をアナログ信号に変換するＤ/Ａコンバータ３７とを含む。Ｄ/Ａコンバータ３７によってアナログ信号に変換されたオーディオ信号はオーディオ出力部７０に印加されて出力される。なお，第２の実施の形態にかかるオーディオ信号処理部３５についても，第１の実施の形態にかかるオーディオ信号処理部３５とほぼ同様の構成であるため，説明は省略する。
【００４１】
一方，第１の実施の形態によるドライブ再生部３０は，制御部３８に制御信号を入力するための制御信号入力部３９をさらに含むことができる。制御信号入力部３９は使用者の操作によってＤＶＤの再生のための再生信号のような通常のＤＶＤドライブ４０´の作動時に必要な複数の制御信号を入力することができるように備えられ，本実施の形態の好ましい実施例による制御信号入力部３９は，ＤＶＤドライブ４０´の前面に露出された複数の作動ボタンで備えられたり，リモコンで備えられることができる。なお，第２の実施の形態にかかるドライブ再生部３０についても，第１の実施の形態にかかるドライブ再生部３０とほぼ同様の構成であるため，説明は省略する。
【００４２】
前述した第１の実施の形態ではビデオスイッチング部９４及びオーディオスイッチング部９６が再生部電源ボタンがオンされることに反応して，ドライブ再生部３０から出力されたビデオ信号及びオーディオ信号が各々ディスプレイ部６０及びオーディオ出力部７０に出力されるように制御されるように備えられているが，再生部電源ボタンがオンされてドライブ再生部３０に電源が供給される場合，ドライブ再生部３０の制御部３８がビデオスイッチング部９４及びオーディオスイッチング部９６を制御してドライブ再生部３０から出力されたビデオ信号及びオーディオ信号が各々ディスプレイ部６０及びオーディオ出力部７０に出力するように備えられることができることは勿論である。
【００４３】
以上のように，第１の実施の形態では光ディスクに記録されたビデオ/オーディオ信号を再生する光ディスクドライブ４０と，光ディスクドライブ４０によって再生されたビデオ及び／又はオーディオ信号をディスプレイ部６０及びオーディオ出力部７０が処理可能な信号に変換してディスプレイ部６０及びオーディオ出力部７０に出力するドライブ再生部３０と，光ディスクドライブ４０によって再生されたビデオ及び／又はオーディオ信号がシステム本体部１０とドライブ再生部３０のうちのいずれか一つに選択的に印加されるようにするビデオ/オーディオ信号スイッチング部９２と，システム本体部１０とドライブ再生部３０に電源を供給するための電源供給部５０と，電源供給部５０からの電源がシステム本体部１０またはドライブ再生部３０のうちのいずれか一つに選択的に供給されるようにする電源スイッチング部９０とを備えることによって，システムをブーティングせずにＤＶＤドライブ４０´などの光ディスクドライブ４０を通じてＤＶＤなどの光ディスクを再生することができる。これにより，光ディスクの再生だけを所望の場合，システムのブーティングにかかる時間を減らすことができ，不必要な電源の損失を減らすことができるようになる。
【００４４】
以上，添付図面を参照しながら本発明の好適な実施形態について説明したが，本発明はかかる例に限定されない。当業者であれば，特許請求の範囲に記載された技術的思想の範疇内において各種の変更例または修正例を想定し得ることは明らかであり，それらについても当然に本発明の技術的範囲に属するものと了解される。
【００４５】
上記実施形態においては，光ディスクを再生する場合を例にあげて説明したが，本発明はかかる例に限定されない。例えば，光ディスクにビデオ及び／又はオーディオデータを記録する場合であっても実施することができる。
【００４６】
また上記実施形態においては，ビデオスイッチング部９４及びオーディオスイッチング部９６が再生部電源ボタンがオンされることに反応して，ドライブ再生部３０から出力されたビデオ信号及びオーディオ信号が各々ディスプレイ部６０及びオーディオ出力部７０に出力されるように制御されるように備えられている場合を例にあげて説明したが，かかる例に限定されず，例えば，再生部電源ボタンがオンされてドライブ再生部３０に電源が供給される場合，ドライブ再生部３０の制御部３８がビデオスイッチング部９４及びオーディオスイッチング部９６を制御してドライブ再生部３０から出力されたビデオ信号及び／又はオーディオ信号が各々ディスプレイ部６０またはオーディオ出力部７０の少なくとも一方に出力するように実施できる。
【００４７】
また上記実施形態においては，ビデオ信号処理部３２がビデオデコーダ３３及びＬＶＤＳエンコーダ３４を含んでいる場合を例に挙げて説明したが，かかる例に限定されず，例えば，ディスプレイ部６０がサポートするインタフェースによってビデオデコーダ３３だけを含むことができる。
【００４８】
また上記実施形態においては，オーディオ信号処理部３５がオーディオデコーダ３６及びＤ/Ａコンバータ３７を含んでいる場合を例に挙げて説明したが，かかる例に限定されず，オーディオ出力部７０がデジタル信号を受信して処理可能な類型のスピーカーである場合にはＤ/Ａコンバータ３７が除去できることは勿論である。
【００４９】
また上記実施形態においては，ビデオ信号は，例えば動画や，静止画などの映像又は画像信号である。上記ビデオ信号は，カラー，白黒等の画質や，ＭＰＥＧ２等のデータ形式等に限定されない。さらに，オーディオ信号についても，例えば，音楽，会話等の音声信号であり，モノラル，ステレオ等の音質や，ＰＣＭ等のデータ形式に限定されない。
【産業上の利用可能性】
【００５０】
本発明は，光ディスクを再生可能なコンピュータシステムに適用可能である。
【図面の簡単な説明】
【００５１】
【図１】第１の実施の形態にかかるコンピュータシステムの概略的な構成を示すブロック図である。
【図２】第１の実施の形態にかかるコンピュータシステムの概略的な構成を示すブロック図である。
【図３】第２の実施の形態にかかるコンピュータシステムの概略的な構成を示すブロック図である。
【図４】図２及び図３のドライブ再生部の概略的な構成を示すブロック図である。
【符号の説明】
【００５２】
１０      システム本体部
３０      ドライブ再生部
４０      光ディスクドライブ
５０      電源供給部
６０      ディスプレイ部
７０      オーディオ出力部
９０      電源スイッチング部
９２      ビデオ/オーディオ信号スイッチング部
【図１】
2005044333.tif 000003
【図２】
2005044333.tif 000004
【図３】
2005044333.tif 000005
【図４】
2005044333.tif 000006